(57)【要約】      （修正有）【課題】贈り物としてのカーテンを対象とし、このカーテンに贈り主のメッセージなどを刺繍して製作したカーテンを提供する。【解決手段】カーテン生地５には贈り主のメッセージ６、又は贈られる人が懐かしむことが出来る故郷の風景画や家族の写真画などを刺繍で形成したことを特徴とする。【選択図】図２
0003190412.tif 000002
【実用新案登録請求の範囲】
【請求項１】
外から差し込む明かりを遮る為に窓に装着するカーテンにおいて、カーテン生地には贈り主のメッセージ、又は贈られる人が懐かしむことが出来る故郷の風景画や家族の写真画像などを、また自分たちの記念行事を表す画像を刺繍で形成したことを特徴とする刺繍カーテン。
【請求項２】
カーテン生地の片隅に贈り主のメッセージと名前を刺繍した請求項１記載の刺繍カーテン。
【請求項３】
故郷の風景画と贈り主のメッセージを同じカーテン生地に刺繍した請求項１記載の刺繍カーテン。
【考案の詳細な説明】
【技術分野】
【０００１】
本考案は何らかの記念や贈り物として使用する為に、カーテン生地の一部にメッセージや特別な図柄などを刺繍したオリジナルカーテンに関するものである。
【背景技術】
【０００２】
カーテンとは窓に掛けて外からの日差しを遮ることを目的としたものであるが、近年では、部屋のインテリアとして使用する役目も大きい。特にインテリアとしての個性化が進み、窓辺を飾るカーテンに関しては、優美さを求めた色々な色彩・模様・図形を形成したものが多く見られる。カーテンにアクセサリーを取付けることで優雅に魅せることが出来、例えば、カーテンの裾に装飾品を取付けたり、縦のラインに沿って装飾を施す場合もある。また、カーテンを開けた際に束ねるバンドとして、豪華な房の付いたものを用いることも出来る。
【０００３】
特開２００６−４２９６１号に係る「スタイルカーテン」は、下方向と横方向及び斜め方向の何れにも自由に形状の変化が可能となり、形態やスタイルを簡単に変化させることができると共に、左右への開閉にも対応することができるようにしている。すなわち、カーテン本体の裏面側で幅方向の複数箇所の位置に、多数のリングが上下縦方向に並ぶリング列を所定間隔の配置で設け、各リング列の縦方向に並ぶ各リングに一本の紐体を順次挿通し、この紐体の上下両端に止め具を設けている。
【０００４】
実開平５−３９３７９号に係る「カーテン巻き上げ機構」は、カーテンを美しくドレープさせるものであり、カーテンの裾に幾本かのコードを取り付け、これらのコードを回転軸と共に回転する複数の巻き取りドラムで不均等に巻き上げる。なお、コードを不均等に巻き上げる方法は、ドラムの径を変えるか、ドラムの回転速度を変えるか、予じめドラムにコードを逆巻きしておくかの何れかが採用でき、回転軸を回すだけで、カーテンの裾が不均等に吊り上がり、スカラップカーテン風に美しく見える。
【０００５】
ここで、スカラップカーテンの下側ウエーブ（曲線）形状は、アーチ型、スリーウエーブ型、ウエーブ型などの型式によって異なり、ウエーブ型では、ウエーブの数に応じてウエーブ形状も違ってくる。また、同じ型式であっても各メーカーによりウエーブ形状の仕様は相違しており、各メーカーでは、カーテンの仕上り幅や丈などに応じて多様な仕様を揃えている。また、顧客から特別注文がある場合には、それに応えてウエーブ形状を変えなければならない。
【０００６】
このように、優雅さを強調して部屋のインテリアとしての機能を備えたカーテンは多種多様化している。特別オーダーにて部屋の大きさに寸法を調整したり、特別な装飾品を裾に取付けるなどその方法は色々知られている。
【特許文献１】特開２００６−４２９６１号に係る「スタイルカーテン」
【特許文献２】実開平５−３９３７９号に係る「カーテン巻き上げ機構」
【考案の開示】
【考案が解決しようとする課題】
【０００７】
部屋のインテリアとして機能する為に、優雅な装飾を施したカーテンは多種多様化している。しかし、優雅なカーテンではあるが個性的要素が備わっているようには感じられない。すなわち、特別オーダーにて製作したカーテンが必ずしも個性的なカーテンであるとは言えない場合も多い。本考案が解決しようとするカーテンは、贈り物としてのカーテンを対象とし、このカーテンに贈り主のメッセージなどを刺繍して製作したカーテンを提供する。また、何らかの記念を表すための刺繍を施したカーテンを提供する。
【課題を解決するための手段】
【０００８】
本考案に係るカーテンは、贈り物としてのカーテンを対象とし、このカーテンに贈り主のメッセージを刺繍する。具体的なメッセージの文言に関しては、贈り物としての目的に応じて異なることから限定はしない。例えば、結婚のお祝いとして友人が贈る場合、両親の米寿のお祝いとして子供が贈る場合など、お祝いの品としてカーテンを送る場合は色々ある。
【０００９】
また、メッセージに限らず、遠くへ嫁いだ娘に故郷の景色画をカーテンに刺繍する場合もあり、名前を刺繍する場合、さらには好きな花柄を刺繍する場合など色々である。勿論、メッセージに図形や模様を組み合せて刺繍したカーテンを製作することも出来る。これらは、市販されているカーテン生地の上に上記メッセージや図柄を入れることで製作される。本考案はカーテン生地そのものに関しては何ら限定しない。
一方、贈り物としてのカーテンに限らず、何らかの記念行事を刺繍してカーテン生地に表現し、何時までも記憶に残るようにすることも出来る。
【考案の効果】
【００１０】
本考案に係るカーテンは、従来のような装飾を第１の目的としたものではなく、贈り物として用いるものであり、贈り主の心をカーテンに表現している。従って、贈られた人はこのカーテンを見ることで何時までも贈り主のことを思い出し、また、懐かしむことが出来る。一方、記念行事をカーテン生地に刺繍することで、何時までも忘れることなく記憶に残り、生活の励みとなる。
ここで、贈り主のメッセージや模様、図形は刺繍にて作られるが、コンピュータにメッセージの文言を入力することで、好みの字体で簡単に刺繍することが出来る。また、故郷の景色画をカーテンに形成する場合も、前以てコンピュータに入力することで容易である。
【図面の簡単な説明】
【００１１】
【図１】レールに吊設したカーテンを表し、（ａ）はカーテンが閉じている場合、（ｂ）はカーテンが開いている場合。
【図２】カーテン生地の片隅にメッセージを刺繍した本考案の実施例。
【図３】カーテン生地に風景画を刺繍した本考案の実施例。
【考案を実施するための形態】
【００１２】
図１は部屋の窓に２枚のカーテン１ａ，１ｂを対を成して装着したものであり、（ａ）はカーテン１ａ，１ｂを閉じている場合、（ｂ）はカーテン１ａ，１ｂが開いている場合である。該カーテン１ａ，１ｂは窓の上端に水平に取付けたレール２に吊具３ａ，３ａ・・、３ｂ，３ｂ・・を介して吊設され、該レール２に沿って吊具３ａ，３ａ・・、３ｂ，３ｂ・・が移動することでカーテン１ａ，１ｂは開閉することが出来る。このように、窓にカーテン１ａ，１ｂを装着し、該カーテン１ａ，１ｂの開閉操作に関しては従来のカーテンと共通している。そして、カーテン１ａ，１ｂを開いた場合には、同図（ｂ）に示すように、窓の両側にバンド４ａ，４ｂによって束ねられ、閉じないように拘束される。
【００１３】
ところで、カーテン１ａ，１ｂには部屋のインテリアとしての効果を呈すように、その色彩、模様、又は図形が施されているが、本考案の上記カーテン１ａ，１ｂは贈り物として贈り主の心を表現したものと成っている。また、記憶に留めたい記念行事を表現したものと成っている。
図２はカーテン生地５を示しているが、このカーテン生地５の下端部には贈り主のメッセージ６が刺繍にて形成されている。メッセージ６の具体的な文言は贈る際の目的に応じて色々あり、限定するものではない。
【００１４】
例えば、結婚のお祝いの品として贈る場合であれば、「いつまでも幸せに」の言葉を刺繍することが出来る。そして、贈り主の名前も小さい文字で横に列記する。従って、このカーテンを新居の部屋に吊設することで、友人からの温かい思いをいつまでも心に留めることが出来、二人が結婚した当時の想いをいつまでも消えることなく保つことが出来る。
【００１５】
また、両親の古希の祝いとして子供がカーテンを贈る場合であれば、カーテン生地５の片隅に記載するメッセージとしては「いつまでも元気でいてください」、「いつまでも健康で」などの言葉が適している。そして、この言葉の横に贈り主として、娘より、又は息子よりと列記する。
【００１６】
図３は本考案のカーテン１を構成するカーテン生地５を示す他の実施例である。このカーテン生地５には風景画７を刺繍でもって形成している。例えば、国際結婚して日本を離れて遠くへ行く場合、カーテン生地５には生まれ育った地域の風景を刺繍し、これを結婚祝いの品として贈ることが出来る。ここで、風景画７とは日本を代表する富士山であったり、日本三景を表したり、又は最も身近な風景として生まれ育った自分の家を表現してもよい。
【００１７】
又は、家族で一緒に撮った写真を刺繍することも可能であり、遠く離れた外国で暮らすに当たって、カーテン１に表現した風景画７を見ることで、故郷を思い出すことが出来る。又は、家族みんなの姿を見ることで昔を懐かしく思い出すことが出来る。勿論、カーテン生地５にはメッセージ６と風景画７、及び家族の姿を全て一枚のカーテン生地５に表現することも可能である。
【００１８】
一方、就職したお祝いとして両親が子供に贈ることもある。例えば、カーテン生地５に息子や娘が学生時代に活躍した時の写真を刺繍する。学生時代に水泳で活躍したならば泳いでいる時の写真を、短距離の陸上選手であったならばゴールしてテープを切っている時の写真を刺繍する。社会に出て辛い時にカーテンに刺繍した画像を見て昔を思い出し、仕事を頑張ることも出来る。
【００１９】
一方、贈り物としてのカーテンではなく、自分たちの記念行事をカーテンに刺繍で表現することも出来る。例えば、新婚旅行で行った旅先の写真画像をカーテン生地に刺繍したり、子供が生まれた時に撮った写真画像を刺繍することも出来る。カーテンを閉じるならば常に目に入って記憶が消えることはなく、仕事が辛いときにはカーテンを見て励みにもなる。
【００２０】
ところで、カーテン生地５に形成するメッセージ６や風景画７、又は画像はコンピュータに入力することで、該コンピュータから信号を送信して自動的に刺繍することが出来る。例えば、特開平８−１９６７６０号公報に記載している「コンピュータ刺繍機の図形刺繍の方法と装置」を適用することが出来る。
【００２１】
コンピュータを利用して先に刺繍する図形の実際の長さと幅を計算し、刺繍前に刺繍範囲が機台の境界を越えるか否か判断し、並びに不落針の方式で図形外周の矩形の境界を刺繍平台装置に一周移動させて使用者による刺繍範囲の刺繍枠内に有るか否かの観察に供し、並びに刺繍する図形を速やかに表示器上に表示して設定された刺繍条件が正確か否かの検査に供し、コンピュータ制御によるデータ処理のプロセスを前データ処理、後データ処理及び機器試繍の三大ステップに分け、並びに制御機装置、刺繍平台装置駆動器、針棒装置等の作用を組合わせて刺繍作業を行う。
【００２２】
特開２００８−１９４３７１号に係る「刺繍データ処理装置、刺繍データ処理プログラム及び記録媒体」を用いて、風景写真を簡単に刺繍することが出来る。すなわち、メインデータとして写真データを取り込み、既定の位置（縫製範囲の中央）及びサイズから調整を受け付けて決定する。メインデータの周囲に配置したいサブデータ用のテンプレートを選択する。あらかじめ、メインデータ、サブデータのそれぞれに、データ間の重なりを許容する数（重なり数が１であれば重なりを許可しない）を設定しておき、選択されたテンプレートが写真データと重なっている場合には、設定された重なり数に従って、あらかじめ定められたテンプレートの枠上の点を基点として、テンプレートのサイズを縮小し、テンプレートとする。テンプレートの位置とサイズが決定された後、テンプレート内にサブデータを読み込むことが出来る。
【符号の説明】
【００２３】
１   カーテン
２   レール
３   吊具  
４   バンド
５   カーテン生地
６   メッセージ
７   風景画
【図１】
0003190412.tif 000003
【図２】
0003190412.tif 000004
【図３】
0003190412.tif 000005